(57)【要約】【課題】  折り畳み式の携帯通電話における開閉を容易にしながら、使用開始までにかかる時間を節減する。【解決手段】  情報処理を行なう携帯電話１であって、側面に動作キー１１２ａ、１１２ｂ、１１２ｃ、１１４ａ、１１４ｂ、１１４ｃを有する第一本体１００と、第二本体２００と、第一本体１００および第二本体２００を回転できるように接続する回転軸３１０と第一本体１００および第二本体２００の間の相対的な回転を検出する回転検出部と、動作キーの押下を検出する動作キー操作押下部と、回転検出部および動作キー操作押下部の検出結果に基づき、情報処理を遂行させる情報処理制御部とを備え、回転軸３１０は、回転の際に第一本体１００および第二本体２００の表裏関係が一定に保たれるようにする。【選択図】  図２
2005184540.tif 000002
【特許請求の範囲】
【請求項１】
情報処理を行なう携帯通信端末であって、
側面に動作キーを有する第一本体と、
第二本体と、
前記第一本体および前記第二本体を、少なくとも各々の表裏関係が一定の状態で回転できるように接続する接続手段と、
前記第一本体および前記第二本体の間の相対的な回転を検出する回転検出手段と、
前記動作キーに対する操作を検出する動作キー操作検出手段と、
前記回転検出手段および前記動作キー操作検出手段の検出結果に基づき、操作された前記動作キーに応じた情報処理を遂行させる情報処理制御手段と、
を備えた携帯通信端末。
【請求項２】
情報処理を行なう携帯通信端末であって、
側面に動作キーを有する第一本体と、
第二本体と、
前記第一本体および前記第二本体を、少なくとも各々の表裏関係が一定の状態で回転できるように接続する接続手段と、
前記第一本体および前記第二本体の間の相対的な回転を防止する回転防止手段と、
前記動作キーに対する操作が所定時間継続したことを検出する動作キー操作検出手段と、
操作された前記動作キーに応じた情報処理を遂行させる情報処理制御手段と、
前記回転防止手段による回転の防止を解除する回転防止解除手段と、
を備え、
前記情報処理制御手段および前記回転防止解除手段は、前記動作キー操作検出手段の検出結果に応じて動作する、
携帯通信端末。
【請求項３】
請求項１または２に記載の携帯通信端末であって、
前記動作キーは複数設けられており、
前記情報処理制御手段は、操作された前記動作キーがどの前記動作キーであるかに基づき、遂行させる前記情報処理を決定する、
携帯通信端末。
【請求項４】
請求項３に記載の携帯通信端末であって、
前記情報処理制御手段は、操作された前記動作キーが、操作される頻度の高いものであればある程に、遂行される頻度の高い前記情報処理を遂行させる、
携帯通信端末。
【請求項５】
請求項３に記載の携帯通信端末であって、
前記情報処理制御手段は、操作された前記動作キーが、前記接続手段から遠いものであればある程に、遂行される頻度の高い前記情報処理を遂行させる、
携帯通信端末。
【請求項６】
請求項３に記載の携帯通信端末であって、
前記接続手段は、前記第一本体および前記第二本体を各々の一端側において接続しており、
前記情報処理制御手段は、操作された前記動作キーが、前記携帯通信端末を閉じた状態で前記接続手段とは反対側から見て右側にある場合に、遂行される頻度の高い前記情報処理を遂行させる、
携帯通信端末。
【請求項７】
請求項１または２に記載の携帯通信端末であって、
前記動作キーは、前記第一本体の両方の側面に設けられている、
携帯通信端末。
【請求項８】
請求項７に記載の携帯通信端末であって、
前記動作キー操作検出手段は、前記第一本体の両方の側面に向かい合って設けられた前記動作キーが同時に操作されたことを検出する、
携帯通信端末。
【請求項９】
情報処理を行なう携帯通信端末であって、側面に動作キーを有する第一本体と、第二本体と、前記第一本体および前記第二本体を、少なくとも各々の表裏関係が一定の状態で回転できるように接続する接続手段とを有する携帯通信端末における処理をコンピュータに実行させるためのプログラムであって、
前記第一本体および前記第二本体の間の相対的な回転を検出する回転検出処理と、
前記動作キーに対する操作を検出する動作キー操作検出処理と、
前記回転検出処理および前記動作キー操作検出処理の検出結果に基づき、操作された前記動作キーに応じた情報処理を遂行させる情報処理制御処理と、
をコンピュータに実行させるためのプログラム。
【請求項１０】
情報処理を行なう携帯通信端末であって、側面に動作キーを有する第一本体と、第二本体と、前記第一本体および前記第二本体を、少なくとも各々の表裏関係が一定の状態で回転できるように接続する接続手段と、前記第一本体および前記第二本体の間の相対的な回転を防止する回転防止手段とを有する携帯通信端末における処理をコンピュータに実行させるためのプログラムであって、
前記動作キーに対する操作が所定時間継続したことを検出する動作キー操作検出処理と、
操作された前記動作キーに応じた情報処理を遂行させる情報処理制御処理と、
前記回転防止手段による回転の防止を解除する回転防止解除処理と、
をコンピュータに実行させ、
前記情報処理制御処理および前記回転防止解除処理は、前記動作キー操作検出処理の検出結果に応じて動作する、
プログラム。
【請求項１１】
情報処理を行なう携帯通信端末であって、側面に動作キーを有する第一本体と、第二本体と、前記第一本体および前記第二本体を、少なくとも各々の表裏関係が一定の状態で回転できるように接続する接続手段とを有する携帯通信端末における処理をコンピュータに実行させるためのプログラムを記録したコンピュータによって読み取り可能な記録媒体であって、
前記第一本体および前記第二本体の間の相対的な回転を検出する回転検出処理と、
前記動作キーに対する操作を検出する動作キー操作検出処理と、
前記回転検出処理および前記動作キー操作検出処理の検出結果に基づき、操作された前記動作キーに応じた情報処理を遂行させる情報処理制御処理と、
をコンピュータに実行させるためのプログラムを記録したコンピュータによって読み取り可能な記録媒体。
【請求項１２】
情報処理を行なう携帯通信端末であって、側面に動作キーを有する第一本体と、第二本体と、前記第一本体および前記第二本体を、少なくとも各々の表裏関係が一定の状態で回転できるように接続する接続手段と、前記第一本体および前記第二本体の間の相対的な回転を防止する回転防止手段とを有する携帯通信端末における処理をコンピュータに実行させるためのプログラムを記録したコンピュータによって読み取り可能な記録媒体であって、
前記動作キーに対する操作が所定時間継続したことを検出する動作キー操作検出処理と、
操作された前記動作キーに応じた情報処理を遂行させる情報処理制御処理と、
前記回転防止手段による回転の防止を解除する回転防止解除処理と、
をコンピュータに実行させ、
前記情報処理制御処理および前記回転防止解除処理は、前記動作キー操作検出処理の検出結果に応じて動作する、
プログラムを記録したコンピュータによって読み取り可能な記録媒体。
【発明の詳細な説明】
【技術分野】
【０００１】
本発明は折り畳み式の携帯通信端末に関する。
【背景技術】
【０００２】
従来より、携帯通信端末の一種である折り畳み式の携帯電話が用いられている。折り畳み式の携帯電話を使用する際には、携帯電話を開いてからキーやボタンを押して使用することが一般的である。しかし、このような使用法では、携帯電話を開いてからでないと使用を開始できない。よって、スティック型のような折り畳まない携帯電話に比べて、携帯電話を開くためにかかる時間の分だけ使用開始が遅れてしまう。
【０００３】
このような問題を解決すべく、折り畳み式の携帯電話にサイドボタンを設けて、サイドボタンを押しながら携帯電話を開閉すると発信あるいは警報の発生などを行なうものが提案されている（特許文献１参照）。このような技術によれば、発信については、携帯電話を開く前から開始できる。
【０００４】
【特許文献１】特開２００２−４４７０４号公報
【発明の開示】
【発明が解決しようとする課題】
【０００５】
しかしながら、特許文献１に記載されたような携帯電話をサイドボタンを押しながら開閉することはやりにくい。
【０００６】
そこで、本発明は、折り畳み式の携帯通信端末における開閉を容易にしながら、使用開始までにかかる時間を節減することを課題とする。
【課題を解決するための手段】
【０００７】
本発明は携帯通信端末に関する。本発明に係る携帯通信端末は、情報処理を行なうためのものである。本発明に係る携帯通信端末は、第一本体、第二本体、接続手段、回転検出手段、動作キー操作検出手段、情報処理制御手段を備える。
【０００８】
第一本体は、側面に動作キーを有する。接続手段は、第一本体および第二本体を、少なくとも各々の表裏関係が一定の状態で回転できるように接続する。回転検出手段は、第一本体および第二本体の間の相対的な回転を検出する。動作キー操作検出手段は、動作キーに対する操作を検出する。情報処理制御手段は、回転検出手段および動作キー操作検出手段の検出結果に基づき、操作された前記動作キーに応じた情報処理を遂行させる。
【０００９】
また、本発明に係る携帯通信端末は、第一本体、第二本体、接続手段、回転防止手段、動作キー操作検出手段、情報処理制御手段、回転防止解除手段を備えるようにしてもよい。
【００１０】
第一本体は、側面に動作キーを有する。接続手段は、第一本体および第二本体を、少なくとも各々の表裏関係が一定の状態で回転できるように接続する。回転防止手段は、第一本体および第二本体の間の相対的な回転を防止する。動作キー操作検出手段は、動作キーに対する操作が所定時間継続したことを検出する。情報処理制御手段は、操作された動作キーに応じた情報処理を遂行させる。回転防止解除手段は、回転防止手段による回転の防止を解除する。なお、情報処理制御手段および回転防止解除手段は、動作キー操作検出手段の検出結果に応じて動作する。
【００１１】
なお、本発明にかかる携帯通信端末は、動作キーは複数設けられており、情報処理制御手段は、操作された動作キーがどの動作キーであるかに基づき、遂行させる情報処理を決定するようにするとよい。
【００１２】
この場合、情報処理制御手段は、操作された動作キーが、操作される頻度の高いものであればある程に、遂行される頻度の高い情報処理を遂行させるようにすることが好ましい。
【００１３】
または、情報処理制御手段は、操作された動作キーが、接続手段から遠いものであればある程に、遂行される頻度の高い情報処理を遂行させるようにしてもよい。
【００１４】
もしくは、接続手段は、第一本体および第二本体を各々の一端側において接続しており、情報処理制御手段は、操作された動作キーが、携帯通信端末を閉じた状態で接続手段とは反対側から見て右側にある場合に、遂行される頻度の高い情報処理を遂行させるようにしてもよい。
【００１５】
なお、本発明にかかる携帯通信端末は、動作キーは、第一本体の両方の側面に設けられているようにしてもよい。
【００１６】
この場合、動作キー操作検出手段は、第一本体の両方の側面に向かい合って設けられた動作キーが同時に操作されたことを検出するようにするとよい。
【発明を実施するための最良の形態】
【００１７】
以下、本発明の実施形態を図面を参照しながら説明する。
【００１８】
図１は、本発明の実施形態にかかる携帯電話（携帯通信端末）１を開いた場合の平面図である。図２は、本発明の実施形態にかかる携帯電話（携帯通信端末）１を閉じた場合の平面図である。図３は、本発明の実施形態にかかる携帯電話（携帯通信端末）１を閉じた場合の正面図である。
【００１９】
本発明の実施形態にかかる携帯電話１は、第一本体１００、第二本体２００、回転軸（接続手段）３１０、磁気センサ３１２ａ、３１２ｂ、回転板３２０を備える。
【００２０】
第一本体１００は、側面に動作キー１１２ａ、１１２ｂ、１１２ｃ、１１４ａ、１１４ｂ、１１４ｃを有する。
【００２１】
携帯電話１を閉じた状態（図２参照）で回転軸（接続手段）３１０とは反対側から見て右側にある方（携帯電話１を開いた状態（図１参照）で第二本体２００を手前に見て左側にある方）に、動作キー１１２ａ、１１２ｂ、１１２ｃがある。動作キー１１２ａが、回転軸３１０から最も遠い。動作キー１１２ｃが、回転軸３１０から最も近い。動作キー１１２ｂは、動作キー１１２ａよりは回転軸３１０に近いが、動作キー１１２ｃよりも回転軸３１０からは遠い。
【００２２】
携帯電話１を閉じた状態（図２参照）で回転軸（接続手段）３１０とは反対側から見て左側にある方（携帯電話１を開いた状態（図１参照）で第二本体２００を手前に見て右側にある方）に、動作キー１１４ａ、１１４ｂ、１１４ｃがある。動作キー１１４ａが、回転軸３１０から最も遠い。動作キー１１４ｃが、回転軸３１０から最も近い。動作キー１１４ｂは、動作キー１１４ａよりは回転軸３１０に近いが、動作キー１１４ｃよりも回転軸３１０からは遠い。動作キー１１４ａは動作キー１１２ａと、動作キー１１４ｂは動作キー１１２ｂと、動作キー１１４ｃは動作キー１１２ｃと向かい合っている。
【００２３】
動作キー１１２ａ、１１２ｂ、１１２ｃ、１１４ａ、１１４ｂ、１１４ｃは、携帯電話１の利用者が押すことができる。
【００２４】
また、第一本体１００は、表面にディスプレイ１２０を有する。ディスプレイ１２０は、携帯電話１による情報処理の結果などを表示する。
【００２５】
第二本体２００は、その表面に入力用キー２１０を有する。入力用キー２１０は、携帯電話１に情報を入力するためのものである。例えば、いわゆるテンキーなどである。
【００２６】
回転軸（接続手段）３１０は、第一本体１００および第二本体２００を回転できるように接続する。具体的には、第一本体１００を回転軸３１０を中心にして、時計回り（図２における実線矢印の方向）あるいは反時計回り（図２における点線矢印の方向）に回すことができる。ただし、図２に示す状態で、時計回りあるいは反時計回りを選択すると、図１に示す状態では、図２に示す状態で選択した回転方向とは反対方向にしか回転できない。例えば、図２に示す状態で時計回りを選択すれば、図１に示す状態では反時計回り（図１における実線矢印の方向）にしか回転できない。図２に示す状態で、反時計回りを選択すれば、図１に示す状態では、時計回り（図２における点線矢印の方向）にしか回転できない。なお、第一本体１００を回転軸３１０を中心にして回転させても、第一本体１００および第二本体２００は裏返ったりしない。例えば、ディスプレイ１２０は、第一本体１００を回転させても表側に位置したままである（図１、２参照）。すなわち、回転軸３１０は、回転の際に第一本体１００および第二本体２００の表裏関係が一定に保たれるようにしている。
【００２７】
回転軸３１０は、図３に示すように、部分的に第一本体１００および第二本体２００に埋めこまれている。
【００２８】
磁気センサ３１２ａ、３１２ｂは、回転板３２０の回転を検出するための磁気センサである。図３を参照して、磁気センサ３１２ａ、３１２ｂは、第二本体２００に固定されている。回転板３２０は、第一本体１００に固定されている。第一本体１００が回転軸３１０を中心に回転すれば、回転板３２０もまた回転軸３１０を中心に回転する。回転板３２０の表面には磁性を帯びたエリアがあり、回転板３２０の回転により、磁気センサ３１２ａ、３１２ｂが検出する回転板３２０の磁気が変化する。これにより、回転板３２０の回転を検出できる。
【００２９】
図４は、携帯電話１の構成を示す機能ブロック図である。携帯電話１は、磁気センサ３１２ａ、３１２ｂ、動作キー１１２ａ、１１２ｂ、１１２ｃ、１１４ａ、１１４ｂ、１１４ｃ、回転検出部１２、動作キー押下検出部１４、情報処理制御部２０、入力用キー２１０、ディスプレイ１２０、情報処理部３０、スケジュール記録部３２、開閉防止解除部４０、開閉防止キー４２を備える。携帯電話１はインターネット２に接続されている。
【００３０】
磁気センサ３１２ａ、３１２ｂ、動作キー１１２ａ、１１２ｂ、１１２ｃ、１１４ａ、１１４ｂ、１１４ｃ、入力用キー２１０、ディスプレイ１２０は、先に説明した通りである。
【００３１】
回転検出部１２は、磁気センサ３１２ａ、３１２ｂから回転板３２０が回転を開始した旨を示す信号を受けることにより、第一本体１００および第二本体２００の間の相対的な回転を検出する。検出を行なうと信号を出力する。
【００３２】
動作キー押下検出部１４は、動作キー１１２ａ、１１２ｂ、１１２ｃ、１１４ａ、１１４ｂ、１１４ｃが所定時間継続して押下されていることを検出する。検出を行なうと信号を出力する。なお、信号には、どの動作キーが押下されているかを示す情報も含まれる。また、動作キー１１２ａと１１４ａとが同時に所定時間継続して押下されていること、動作キー１１２ｂと１１４ｂとが同時に所定時間継続して押下されていることを検出するようにしてもよい。
【００３３】
情報処理制御部２０は、回転検出部１２および動作キー押下検出部１４から検出を行なった旨の信号を受けると、それに基づき、情報処理部３０に情報処理を遂行させる。
【００３４】
情報処理部３０は、情報処理制御部２０から遂行を指示された情報処理を遂行する。図５は、情報処理部３０の構成を示す機能ブロック図である。情報処理部３０は、メール通信部３０ａ、インターネット通信部３０ｂ、ダウンロードプログラム実行部３０ｃ、カメラ部３０ｄ、スケジューラ部３０ｅを有する。なお、情報処理部３０は、入力用キー２１０による情報の入力を受け、情報処理の結果をディスプレイ１２０に表示させる。
【００３５】
メール通信部３０ａは、インターネット２を介して、電子メールの送受信を行なう。
【００３６】
インターネット通信部３０ｂは、インターネット２を介して通信を行なう。例えば、HTTPプロトコルを用いて通信を行ない、ホームページの閲覧などを行なう。この機能は、例えばｉモード（商標）により実装できる。
【００３７】
ダウンロードプログラム実行部３０ｃは、インターネット２を介してダウンロードしたプログラムを実行する。例えば、HTTPプロトコルを用いて通信を行なう。この機能は、例えばｉアプリ（商標）により実装できる。
【００３８】
カメラ部３０ｄは、デジタルカメラとしての機能を果たす部分である。携帯電話にデジタルカメラとしての機能をもたせたものは周知であるため、詳細な説明は省略する。
【００３９】
スケジューラ部３０ｅは、携帯電話１の利用者のスケジュールを記録および表示するためのものである。携帯電話１の利用者が入力用キー２１０によりスケジュールをスケジューラ部３０ｅに入力すると、スケジューラ部３０ｅがスケジュール記録部３２にそのスケジュールを書き込む。また、スケジューラ部３０ｅはスケジュール記録部３２からスケジュールを読み出して、ディスプレイ１２０に表示させる。
【００４０】
スケジュール記録部３２は、スケジューラ部３０ｅから受けたスケジュールを記録する。
【００４１】
開閉防止キー４２は、第一本体１００および第二本体２００の間の回転を防止するためのものである。
【００４２】
開閉防止解除部４０は、動作キー押下検出部１４から検出を行なった旨の信号（動作キー１１２ａ、１１２ｂ、１１２ｃ、１１４ａ、１１４ｂ、１１４ｃが一定時間継続して押下されていることを示す）を受けると、それに基づき、開閉防止キー４２による第一本体１００および第二本体２００の間の回転の防止を解除する。
【００４３】
なお、情報処理制御部２０および開閉防止解除部４０は、押下された動作キーがそれかによって動作が異なるので説明する。
【００４４】
図２に示すような状態において、利用者が携帯電話を開こうとする場合、右手の親指を用いて、第一本体１００を回転軸３１０を中心にして回転させようとすることが多い。具体的には、右手の親指により第一本体１００の側面を押す。右手の親指により押しやすい側面は、動作キー１１２ａ、１１２ｂ、１１２ｃが設けられている側面である。しかも、その側面においても、回転軸３１０から遠い部分を押せば、回転モーメントを大きくできるので、第一本体１００を回転させやすい。
【００４５】
よって、利用者により押下される頻度の高い動作キーは動作キー１１２ａであり、動作キー１１２ｂが次に頻度が高く、動作キー１１２ｃはその次に頻度が高い。
【００４６】
なお、動作キー１１４ａ、１１４ｂ、１１４ｃは、動作キー１１２ａ、１１２ｂ、１１２ｃに比べて、利用者により押下される頻度が小さい。動作キー１１４ａ、１１４ｂ、１１４ｃのなかでは、利用者により押下される頻度の高い動作キーは動作キー１１４ａであり、動作キー１１４ｂが次に頻度が高く、動作キー１１４ｃはその次に頻度が高い。
【００４７】
このようなことから、回転検出部１２から回転を検出した旨の信号を受けていることを条件として、情報処理制御部２０および開閉防止解除部４０は、
（１）動作キー１１２ａが押下されているならば、メール通信部３０ａを作動させる、
（２）動作キー１１２ｂが押下されているならば、スケジューラ部３０ｅを作動させる、
（３）動作キー１１２ｃが押下されているならば、開閉防止解除部４０を作動させて回転の防止を解除する（回転を検出した旨の信号を受けていることは要しない）、
（４）動作キー１１４ａが押下されているならば、インターネット通信部３０ｂを作動させる、
（５）動作キー１１４ｂが押下されているならば、ダウンロードプログラム実行部３０ｃを作動させる、
（６）動作キー１１４ｃが押下されているならば、開閉防止解除部４０を作動させて回転の防止を解除する（回転を検出した旨の信号を受けていることは要しない）、
という動作をする。
【００４８】
使用される頻度は、メール通信部３０ａ＞スケジューラ部３０ｅ＞インターネット通信部３０ｂ＞ダウンロードプログラム実行部３０ｃ、といった順序である。そこで、メール通信部３０ａおよびスケジューラ部３０ｅを押下される頻度の高い動作キー１１２ａ、１１２ｂに、インターネット通信部３０ｂおよびダウンロードプログラム実行部３０ｃを押下される頻度の低い動作キー１１４ａ、１１４ｂに割り当てる。
【００４９】
しかも、メール通信部３０ａおよびスケジューラ部３０ｅのなかでも使用される頻度の高い（低い）メール通信部３０ａ（スケジューラ部３０ｅ）を押下される頻度の高い（低い）動作キー１１２ａ（１１２ｂ）に割り当てる。
【００５０】
さらに、インターネット通信部３０ｂおよびダウンロードプログラム実行部３０ｃのなかでも使用される頻度の高い（低い）インターネット通信部３０ｂ（ダウンロードプログラム実行部３０ｃ）を押下される頻度の高い（低い）動作キー１１４ａ（１１４ｂ）に割り当てる。
【００５１】
なお、回転の防止の解除だけという動作は、使用頻度が低いので、押下する頻度の低い動作キー１１２ｃ、１１４ｃに割り当てる。
【００５２】
図１に示すような状態において、利用者が携帯電話を閉じようとする場合、図２に示す状態で選択した回転方向とは反対方向にしか第一本体１００を回転させられない。そこで、動作キー１１２ａと１１４ａ、１１２ｂと１１４ｂには同じ動作を割り当てる。また、一つの動作キーだけを押すと情報処理部３０により情報処理が行なわれるとすれば、誤って動作キーを押してしまったときに、これまでに情報処理部３０により行なってきた情報処理（例えば、電子メールの送受信）が停止することがあり得る。よって、動作キー１１２ａと１１４ａ（１１２ｂと１１４ｂ）とを同時に一定時間継続して押下することを条件として、情報処理部３０による情報処理あるいは開閉防止解除部４０による回転の防止の解除を行なわせる。
【００５３】
このようなことから、回転検出部１２から回転を検出した旨の信号を受けていることを条件として、情報処理制御部２０および開閉防止解除部４０は、
（１）動作キー１１２ａおよび１１４ａが押下されているならば、カメラ部３０ｄを作動させる、
（２）動作キー１１２ｂおよび１１４ｂが押下されているならば、開閉防止解除部４０を作動させて回転の防止を解除する、
という動作をする。
【００５４】
動作キー１１２ａおよび１１４ａは、動作キー１１２ｂおよび１１４ｂよりも回転軸３１０から遠いため、回転軸３１０についての回転モーメントを大きくしやすいので、動作キー１１２ａおよび１１４ａを押下する頻度は、動作キー１１２ｂおよび１１４ｂを押下する頻度よりも高い。よって、動作キー１１２ａおよび１１４ａには、使用頻度が回転の防止の解除だけよりも高いカメラ部３０ｄを割り当てる。
【００５５】
なお、これまで説明したような動作キーの情報処理への割り当ては、デフォルトの設定である。利用者が、動作キーの情報処理への割り当てを変更することができるようにしてもよい。
【００５６】
次に、本発明の実施形態の動作を図６のフローチャートを参照して説明する。
【００５７】
まず、利用者が図１または図２に示す状態で動作キーを押下したか否かを動作キー押下検出部１４が検出する（Ｓ１０）。なお、図１に示す状態ならば、動作キー１１２ａと１１４ａとが同時に押下されたか否か、あるいは、動作キー１１２ｂと１１４ｂとが同時に押下されたか否かを検出する。また、図２に示す状態ならば、動作キー１１２ａ、１１２ｂ、１１２ｃ、１１４ａ、１１４ｂ、１１４ｃのいずれが押下されたか否かを検出する。
【００５８】
動作キーが押下されていなければ（Ｓ１０、Ｎｏ）、動作キーの押下の検出（Ｓ１０）に戻る。動作キーが押下されていれば（Ｓ１０、Ｙｅｓ）、動作キー押下検出部１４は、押下されている時間が所定時間を経過したか否かを判定する（Ｓ１２）。所定時間を経過しないうちに動作キーの押下がなされなくなれば（Ｓ１２、Ｎｏ）、動作キーの押下の検出（Ｓ１０）に戻る。所定時間を経過してもなお動作キーの押下がなされていれば（Ｓ１２、Ｙｅｓ）、動作キー押下検出部１４はその旨を示す信号を出力する。
【００５９】
動作キー押下検出部１４の信号は、開閉防止解除部４０により受けられる。開閉防止解除部４０は、動作キー押下検出部１４の信号を受けると、開閉防止キー４２による回転の防止を解除する（Ｓ１４）。これにより、第一本体１００を回転軸３１０を中心に回転させることが可能となる。
【００６０】
ここで、第一本体１００が回転軸３１０を中心に回転し始めたか否かを、回転検出部１２が検出する（Ｓ１６）。回転し始めなければ（Ｓ１６、Ｎｏ）、動作キーの押下の検出（Ｓ１０）に戻る。回転し始めれば（Ｓ１６、Ｙｅｓ）、回転検出部１２がそれを検出し、信号を出力する。そして、情報処理制御部２０が情報処理部３０に情報処理を遂行させる（Ｓ１８）。情報処理の内容は先に説明した通りである。
【００６１】
なお、回転検出部１２による回転の検出（Ｓ１６）を省略して、回転の防止解除（Ｓ１４）の後、ただちに、情報処理の遂行（Ｓ１８）を行なってもよい。
【００６２】
また、動作キー押下検出部１４は、動作キーが押下されている時間が所定時間を経過したか否かを判定する（Ｓ１２）と説明した。しかし、この判定（Ｓ１２）を省略し、動作キーが押下されていれば（Ｓ１０、Ｙｅｓ）、ただちに開閉防止キー４２による回転の防止解除（Ｓ１４）を行なってもよい。さらに、開閉防止キー４２による回転の防止を全く行なわないでおけば、回転の防止解除（Ｓ１４）をも省略し、動作キーが押下されていれば（Ｓ１０、Ｙｅｓ）、ただちに回転検出部１２により回転の検出（Ｓ１６）に進んでもよい。
【００６３】
しかも、開閉防止キー４２による回転の防止を全く行なわないでおけば、変形例の動作を示す図７のフローチャートに表されたように、回転検出部１２により回転の検出（Ｓ１６）を先に行ない、回転しているならば（Ｓ１６、Ｙｅｓ）、ただちに動作キーの押下の判定（Ｓ１０）を行なうようにしてもよい。押下されている（Ｓ１０、Ｙｅｓ）ならば、情報処理制御部２０が情報処理部３０に情報処理を遂行させる（Ｓ１８）。情報処理の内容は先に説明した通りである。回転していない（Ｓ１６、Ｎｏ）、押下されていない（Ｓ１０、Ｎｏ）ならば、回転の判定（Ｓ１６）に戻る。
【００６４】
本発明の実施形態によれば、回転軸３１０を中心とした第一本体１００の回転を終える前に情報処理を遂行し始めることができるので、情報処理をより早く遂行し始めることができる。しかも、動作キーを押せば、回転軸３１０まわりに回転モーメントを発生させることとなり、第一本体１００を回転させることにつながる。よって、動作キーを押しながら、携帯電話１を開閉しやすい。
【００６５】
また、上記の実施形態は、以下のようにして実現できる。ＣＰＵ、ハードディスク、フラッシュメモリ、メディア（フロッピー（登録商標）ディスク、ＣＤ−ＲＯＭ、メモリスティックなど）読み取り装置を備えたコンピュータのメディア読み取り装置に、上記の各部分（例えば、回転検出部１２、動作キー押下検出部１４、情報処理制御部２０、開閉防止解除部４０）を実現するプログラムを記録したメディアを読み取らせて、ハードディスク、フラッシュメモリなどにインストールする。このような方法でも、上記の機能を実現できる。
【図面の簡単な説明】
【００６６】
【図１】本発明の実施形態にかかる携帯電話（携帯通信端末）１を開いた場合の平面図である。
【００６７】
【図２】本発明の実施形態にかかる携帯電話（携帯通信端末）１を閉じた場合の平面図である。
【００６８】
【図３】本発明の実施形態にかかる携帯電話（携帯通信端末）１を閉じた場合の正面図である。
【００６９】
【図４】携帯電話１の構成を示す機能ブロック図である。
【００７０】
【図５】情報処理部３０の構成を示す機能ブロック図である。
【００７１】
【図６】本発明の実施形態の動作を示すフローチャートである。
【００７２】
【図７】本発明の実施形態の動作の変形例を示すフローチャートである。
【符号の説明】
【００７３】
１  携帯電話
１２  回転検出部
１４  動作キー押下検出部
２０  情報処理制御部
３０  情報処理部
３２  スケジュール記録部
４０  開閉防止解除部
４２  開閉防止キー
１１２ａ、１１２ｂ、１１２ｃ、１１４ａ、１１４ｂ、１１４ｃ  動作キー
１２０  ディスプレイ
２１０  入力用キー
３１２ａ、３１２ｂ  磁気センサ
【図１】
2005184540.tif 000003
【図２】
2005184540.tif 000004
【図３】
2005184540.tif 000005
【図４】
2005184540.tif 000006
【図５】
2005184540.tif 000007
【図６】
2005184540.tif 000008
【図７】
2005184540.tif 000009